(57)【要約】  蒸発法を用いた海水淡水化方法において、海水の加熱に要する熱量を低減する。  海水が流下する伝熱管２と、海水より暖かい温海水が流下する液溜まり３と、液溜まり３に溜まった温海水からフラッシュ蒸発した蒸気を伝熱管２を流下する海水で冷却して得た淡水を集める淡水受け皿４と、を有する小部屋１からなる段落を複数段備えた多段フラッシュ蒸発方式の海水淡水化装置１０１において、海水とは別の海水を前記温海水として海水淡水化装置１０１に導入し、海水と温海水とが、各段落を互いに対向して流下するように構成され、海水の海水淡水化装置１０１への導入流量を、温海水の海水淡水化装置１０１への導入流量に等しくなるように流量調節する、あるいは、海水淡水化装置１０１の海水流れ方向上流側と下流側の両端での温海水と海水との温度差が保たれるように流量調節する、流量調節弁６を伝熱管２の入口端の上流に設けたことを特徴とする海水淡水化装置。
2012039009.tif 000002
【特許請求の範囲】
【請求項１】
海水が流下する伝熱管と、前記海水より暖かい温海水が流下する液溜まりと、前記液溜まりに溜まった温海水からフラッシュ蒸発した蒸気を前記伝熱管を流下する海水で冷却して得た淡水を集める淡水受け皿と、を有する部屋からなる段落を複数段備えた多段フラッシュ蒸発方式の海水淡水化装置であって、
前記海水と異なる海水を前記温海水として前記液溜まりに導入し、
前記海水と前記温海水とが、前記各段落を互いに対向して流下するように構成され、
前記海水の前記伝熱管への導入流量を、前記温海水の海水淡水化装置への導入流量に等しくなるように流量調節する、あるいは、前記海水淡水化装置の前記海水流れ方向上流側と下流側の両端での前記温海水と前記海水との温度差が保たれるように流量調節する、流量調節弁を前記伝熱管の入口上流側に設けたことを特徴とする海水淡水化装置。
【請求項２】
請求項１記載の海水淡水化装置であって、
前記段落を複数段備えた基本モジュールを複数個備え、
前記基本モジュールを前記海水の流れ方向に沿って直列に繋げ、
前記海水を、前記基本モジュールを流下する毎に、交互に前記伝熱管と前記液溜まりを流下させるとともに、前記温海水を、前記各基本モジュールを流下する毎に、交互に前記液溜まりと前記伝熱管を流下させることを特徴とする海水淡水化装置。
【請求項３】
請求項２記載の海水淡水化装置であって、
前記基本モジュールの少なくとも１つは、基本モジュールを構成する各段落に、前記フラッシュ蒸気を冷却する第２の伝熱管を備え、
前記第２の伝熱管を備える基本モジュールの上流側に設けられた前記基本モジュールで生成した淡水を前記第２の伝熱管に冷熱源として導入することを特徴とする海水淡水化装置。
【請求項４】
請求項３記載の海水淡水化装置であって、
前記基本モジュールの少なくとも１つは、基本モジュールを構成する各段落に、前記液溜まりの中に第３の伝熱管を備え、
前記第２の伝熱管に導入し、前記フラッシュ蒸気との熱交換によって昇温した淡水を前記第３の伝熱管に導入することを特徴とする海水淡水化装置。
【請求項５】
請求項２乃至４のいずれか１項に記載の海水淡水化装置であって、
前記海水淡水化装置に前記海水を供給する海水供給系統と、
前記海水淡水化装置に前記温海水を供給する温海水供給系統と、
前記海水淡水化装置から排出された海水を回収する海水回収系統と、
前記海水淡水化装置から排出された温海水を回収する温海水回収系統と、
前記海水供給系統と前記海水回収系統とに連通し、濃度毎に海水を貯留する複数個の海水タンクと、
前記温海水供給系統と前記温海水回収系統とに連通し、濃度毎に温海水を貯留する複数個の温海水タンクとを備え、
前記複数個の海水タンクのうち、前記海水淡水化装置へ海水を供給する前記海水タンク、および前記複数個の温海水タンクのうち、前記海水淡水化装置へ温海水を供給する前記温海水タンクを時分割で切換制御する流路切換機構と、
前記複数個の海水タンクのうち、前記海水淡水化装置から排出された海水を回収する前記海水タンク、および前記複数個の温海水タンクのうち、前記海水淡水化装置から排出された温海水を回収する前記温海水タンクを、排出された海水と温海水の濃度に応じて切換制御する流路切換機構とを備えることを特徴とする海水淡水化装置。
【請求項６】
請求項１乃至４いずれか１項に記載の海水淡水化装置を備えた複合発電プラントであって、
蒸気タービンと、該蒸気タービンの上流段落から下流段落までの複数箇所から抽気した蒸気を加熱源とする加熱器とを備え、
前記海水を、前記加熱器で加熱して前記温海水を生成することを特徴とする複合発電プラント。
【請求項７】
多段フラッシュ蒸発方式の海水淡水化装置を用いた海水淡水化方法であって、
前記海水淡水化装置に、海水と、該海水と別の前記海水より温度が高い温海水とが対向して流れるように導入し、
前記海水の前記海水淡水化装置への導入流量を、前記温海水の導入流量に等しくなるように流量調節する、あるいは、前記海水の前記海水淡水化装置への導入流量を、前記海水淡水化装置の前記海水流れ方向上流側と下流側の両端での前記温海水と前記海水との温度差が保たれるように流量調節し、
前記温海水をフラッシュ蒸発させて生成した蒸気を前記海水で冷却して淡水を生成することを特徴とする海水淡水化方法。
【発明の詳細な説明】
【技術分野】
【０００１】
本発明は、海水淡水化方法および海水淡水化装置を複合した発電プラントに関するものである。
【背景技術】
【０００２】
海水淡水化方法には、熱を用いる蒸発法と動力を用いる逆浸透法の二通りがある。通常、両者ともに発電プラントに併設され、前者は発電プラントからの排熱を利用する。後者は動力を利用し海水を浸透圧以上に昇圧する。一般的には、逆浸透法では蒸発法のような相変化に伴う潜熱を必要としないためエネルギー消費が小さい、すなわち、蒸発法はエネルギー消費が過大であるとされている（非特許文献１参照）。【０００３】
従来の蒸発法を用いた海水淡水化装置を備えた複合発電プラントの例としては、特開昭５５−１２７１８７号公報（特許文献１）に、原子力発電プラントで蒸気タービンから抽気した蒸気を蒸発法の熱源とする例が示されている。また、特開平９−１１７７５３号公報（特許文献２）には蒸発法の一つである多段フラッシュ蒸発法が示されている。【０００４】
これらの従来技術では、複数段に分かれ、凝縮器および蒸発器を備えた熱回収部と、凝縮器を経た海水を加熱する加熱器とを備え、加熱器で加熱された海水を蒸発器に導いてフラッシュ蒸発させ、凝縮器で凝縮して淡水を取り出している。この従来技術では、加熱器の熱源として蒸気タービンから抽気した蒸気を用いているが、凝縮器に導入した海水を加熱器に送るまでの間に、フラッシュ蒸発した蒸気の潜熱を海水で回収することによって、加熱器での加熱に要する熱量を低減している。
【先行技術文献】
【特許文献】
【０００５】
【特許文献１】特開昭５５−１２７１８７号公報
【特許文献２】特開平９−１１７７５３号公報
【非特許文献】
【０００６】
【非特許文献１】膜利用技術ハンドブック（大矢晴彦、幸書房（１９７８））
【発明の概要】
【発明が解決しようとする課題】
【０００７】
だが、特許文献１，２に示された方法をもってしても、非特許文献１にあるように、蒸発法は、エネルギー消費が過大であるということが一般的な認識である。また、海水の加熱に蒸気タービンからの抽気を用いることは蒸気タービンの出力を低下させる一因である。【０００８】
しかしながら、蒸発法は排熱を利用する点で、動力を要する逆浸透法に勝る可能性がある。そのためには、海水の加熱に要する熱量のさらなる削減が必要である。【０００９】
そこで本発明が解決しようとする課題は、蒸発法を用いた海水淡水化方法において、海水の加熱に要する熱量を低減することである。
【課題を解決するための手段】
【００１０】
多段フラッシュ蒸発方式の海水淡水化装置を用いた海水淡水化方法において、海水淡水化装置に、冷海水と、該冷海水と別の前記冷海水より温度が高い温海水とが対向して流れるように導入し、冷海水の海水淡水化装置への導入流量を、温海水の導入流量に等しくなるように流量調節する、あるいは、冷海水の海水淡水化装置への導入流量を、海水淡水化装置の冷海水流れ方向上流側と下流側の両端での温海水と冷海水との温度差が保たれるように流量調節し、温海水をフラッシュ蒸発させて生成した蒸気を前記冷海水で冷却して淡水を生成することを特徴とする海水淡水化方法。
【発明の効果】
【００１１】
本発明によれば、温海水と冷海水の導入により、冷海水を加熱するための加熱エネルギーを必要としない。よって、蒸発法を用いた海水淡水化方法において、海水の加熱に要する熱量を低減することができる。
【図面の簡単な説明】
【００１２】
【図１】実施例１に係る海水淡水化装置の基本モジュールの構成図である。
【図２】実施例１に係る海水淡水化装置内の温度変化の模式図である。
【図３】従来の多段フラッシュ海水淡水化装置の構成図である。
【図４】従来の多段フラッシュ海水淡水化装置の段落内の温度分布を説明する図である。
【図５】従来の多段フラッシュ海水淡水化装置の蒸発と凝縮の過程を表すＴＳ線図である。
【図６】実施例２に係る海水淡水化装置の主要部分を概略的に示した構成図である。
【図７】温度スイングによる温度変化を説明した図である。
【図８】実施例３に係る海水淡水化装置の主要部分を概略的に示した構成図である。
【図９】実施例４に係る海水淡水化装置の主要部分を概略的に示した構成図である。
【図１０】実施例５に係る海水淡水化装置の主要部分を概略的に示した構成図である。
【図１１】実施例６に係る海水淡水化装置の主要部分を概略的に示した構成図である。
【図１２】実施例７に係る海水淡水化複合発電プラントの主要部分を概略的に示した構成図である。
【図１３】従来の海水淡水化複合発電プラントの構成図である。
【図１４】実施例８に係る海水淡水化複合発電プラントの主要部分を概略的に示した構成図である。
【発明を実施するための形態】
【００１３】
本発明では、海水淡水化装置を構成する基本モジュールは、上部に冷海水が流通する伝熱管、下部に温海水が流通する液溜まり、中間部に淡水を受けるための淡水受け皿を設けた多段の小部屋に分割される。温海水と冷海水を対向させ基本モジュールの両端に導き、冷海水は伝熱管内に、温海水は液溜まりにそれぞれ流入させる。一つの小部屋の中では、温海水は冷海水より温度が高いため、温海水は液溜まりの液面からフラッシュ蒸発し、蒸発した蒸気を伝熱管表面で凝縮させ、淡水を淡水受け皿に集める。本発明では、基本モジュールに導入する冷海水の流量は温海水と同量になるように制御し、温海水と冷海水の温度差を小さく保つ。これにより、温海水は濃縮された冷海水および淡水に変わり、冷海水は温海水となる。生成された温海水と冷海水を次の基本モジュールに導き、海水淡水化を進め、淡水を得るものである。
【００１４】
本発明によれば、温海水と冷海水の導入により、冷海水を加熱するための加熱エネルギーを必要としない。よって、海水の加熱に要する熱量を低減することができる。
【００１５】
以下、本発明の実施例について、適宜図を用いて説明する。
【実施例１】
【００１６】
本実施例の理解を容易にするため、まず始めに、従来のＭＳＦ（Multi-Stage Flash：多段フラッシュ）海水淡水化装置の構成と原理について図３を用いて説明する。【００１７】
図３は従来の多段フラッシュ式海水淡水化装置の主要部分の概略を示した構成図であり、１００は海水淡水化装置、５０は海水淡水化装置の本体で、淡水生成部である基本モジュール、１は基本モジュールの各段落を構成する小部屋、２は伝熱管、３は液溜まり、４は淡水受け皿、５は加熱器、１１０は海水タンク、１２０は冷海水タンク、１３０は淡水タンク、をそれぞれ表す。多段フラッシュ式海水淡水化装置においては、海水淡水化装置１００の基本モジュール５０は、複数の小部屋１に区割りされており、各小部屋１を一方向に連接して配置した多段構造を有する。各小部屋１には、それぞれ上部に伝熱管２，下部に液溜まり３，中間部に淡水受け皿４が設けられている。【００１８】
図３に示すように、各小部屋１の伝熱管２はそれぞれ隣り合う小部屋１の伝熱管２と連通しており、小部屋の連接方向に沿って１つの管路を形成している。そして、基本モジュール５０の段落連接方向端部にある、伝熱管２による管路の末端の一方は、海水タンク１１０に配管を介して繋がっており、もう一端は加熱器５に繋がっている。【００１９】
海水タンク１１０には、海洋から採取した海水が貯留されており、タンク内の海水が配管を介して伝熱管２に導入されるようになっている。伝熱管２は、熱交換用の配管である。海水タンク１１０から伝熱管２に導入された海水は、各小部屋１の伝熱管２を順次流下しながら加熱される。伝熱管２から排出された海水は、その後、海水を加熱する加熱器５へ導かれ、加熱器５で再度加熱される。加熱器５の熱源には、図示しない蒸気タービンの抽気が用いられる。【００２０】
各小部屋に設けられた液溜まり３は、海水を一時的に貯留し、海水のフラッシュ蒸発を促進する部分である。各小部屋１の液溜まり３は、それぞれ隣り合う小部屋１の液溜まり３と連通しており、段落の連接方向に沿って海水が流下する海水流路を形成している。そして、その海水流路の末端の一方は、配管を介して加熱器５と繋がっており、もう一端は配管を介して冷海水タンク１２０と繋がっている。冷海水タンク１２０は、液溜まり３から排出された海水を貯留するタンクである。【００２１】
加熱器５で加熱された海水は、液溜まり３に放出される。加熱器５から液溜まり３に導入された海水は、伝熱管２内の海水の流れ方向と対向して各小部屋の液溜まり３を流下し、最終的に冷海水タンク１２０に導かれる。各小部屋１の液溜まり３に導かれた海水の一部は、海水の自由液面からフラッシュ蒸発する。フラッシュ蒸発した蒸気は小部屋上方に移動し、伝熱管２内を流れる海水で冷却されて凝縮し、凝縮水となって淡水受け皿４に集められる。【００２２】
なお、海水タンク１１０から加熱器５へ流れる海水の流れ方向と、加熱器５から冷海水タンク１２０へ流れる海水の流れ方向を対向させるため、基本モジュール５０の段落連接方向の一方の端部と海水タンク１１０および冷海水タンク１２０とを接続し、反対側の端部と加熱器５とを接続している。【００２３】
淡水受け皿４も、隣り合う小部屋の淡水受け皿４と連通しており、段落の連接方向に沿って１つの淡水用流路を形成している。淡水用流路の末端は、配管を介して、淡水を貯留する淡水タンク１３０に繋がっている。よって、各淡水受け皿４に集められた淡水は、その後、各小部屋１の淡水受け皿４を順次流下して、最終的に淡水タンク１３０に集められる。なお淡水タンク１３０は、海水タンク１１０，冷海水タンク１２０と同じ側の基本モジュール端部と接続している。【００２４】
この図３に示した従来の海水淡水化装置１００では、液溜まり３からフラッシュ蒸発した蒸気の凝縮熱は伝熱管２内を流下する海水に回収されるため、回収した分、加熱器５での加熱用の熱量が低減される。【００２５】
図４に図３に示した基本モジュール５０の１段落内の温度分布を模式的に示す。横軸の相対位置は水平方向の位置を表している。蒸気は飽和状態にあると考えられ、（Ａ）海水が段落の液溜まり３に流入すると減圧されフラッシュ蒸発し、（Ｂ）液溜まり３出口で蒸気温度に近づく。淡水は凝縮水が集められたものだが、一部はフラッシュ蒸発し温度が海水と同じように低下する。一方の凝縮側の海水は（Ｃ）伝熱管２に流入した後、凝縮熱を受け、（Ｄ）温度が上昇する。【００２６】
蒸気温度は蒸発側と凝縮側の温度と蒸発量から決まる。図５は蒸発と凝縮の過程を表すＴＳ線図である。フラッシュ蒸発により温度Ｔsの飽和蒸気が生成される。蒸発側は潜熱を奪われＴf1からＴf2に減温する。蒸気は伝熱管表面で凝縮するが、管内の海水温度はＴc1からＴc2に増加する。フラッシュ蒸発量は蒸発側の海水と蒸気の平均温度差ΔＴfmに比例する。凝縮量は蒸気と凝縮側の海水の平均温度差ΔＴcmに比例し、かつ、フラッシュ蒸発量に等しい。【００２７】
蒸発側の熱伝達率をＫf、面積をＳf、凝縮側をそれぞれＫc，Ｓcとし、蒸発・凝縮の熱量をＱとすれば、次式を得る。【００２８】
【数１】
2012039009.tif 000003
ここに、Ｃpは定圧比熱、ｑfは蒸発側の海水と淡水を合わせた流量、ｑcは凝縮側の管内流量である。平均温度差ΔＴfmとΔＴcmをそれぞれの流入流出温度の算術平均で近似する。【００２９】
【数２】
2012039009.tif 000004
（２）式を変形し蒸発側の流入温度Ｔf1と凝縮側の流出温度の差Ｔf1−Ｔc2に書き下すと、【００３０】
【数３】
2012039009.tif 000005
を得る。ここに、【００３１】
【数４】
2012039009.tif 000006
【００３２】
【数５】
2012039009.tif 000007
である。多段フラッシュの小部屋が蒸気加熱式の加熱器側とすれば、加熱器での熱量は温度差Ｔf1−Ｔc2に比例する。蒸気加熱式では流量ｑfとｑcは等しくなる。（１）式より【００３３】
【数６】
2012039009.tif 000008
となる。この結果、全段落を通して、段落内で温海水と冷海水の温度差が保たれる。【００３４】
次に、本発明の第１の実施例に係る海水淡水化装置と、海水淡水化方法について説明する。【００３５】
図１は、本発明の第１の実施例の海水淡水化装置１０１の主要部分を概略的に示した構成図であって、６は流量調整弁、２００，２１０は温海水タンクである。なお、先に説明した従来の海水淡水化装置１００と同等の構成要素については、同じ符号を付し、説明を省略する。【００３６】
本実施例では、海水タンク１１０から基本モジュール５０の伝熱管２へ海水を供給する配管７に、供給する海水量を調整する流量調整弁６を設けている。また、伝熱管２の管路の海水流れ方向下流側の末端は、加熱器５ではなく、温海水タンク２１０に繋がっている。温海水タンク２１０は、伝熱管２内で加熱された海水を貯留するタンクである。【００３７】
また、液溜まり３の海水流れ方向上流側の末端も、加熱器５ではなく、温海水タンク２００に繋がっている。温海水タンク２００は、温海水を貯留するタンクである。【００３８】
従って、本実施例では、海水タンク１１０から供給される海水は、流量調整弁６で流量調整されて伝熱管２に導入され、伝熱管内で凝縮熱により昇温し、温海水タンク２１０に導入される。一方、液溜まり３には、温海水タンク２００から、伝熱管２を流下する海水とは別に、温海水が供給される。この温海水は、伝熱管２内を流れる海水よりも温度が高いため、各液溜まり３で一部がフラッシュ蒸発する。そして各液溜まり３でフラッシュ蒸発を繰り返した温海水は、温度低下しつつ濃縮され、冷海水として冷海水タンク１２０に貯留される。【００３９】
本実施例では、冷海水を海水タンク１１０より伝熱管２に、温海水を温海水タンク２００より液溜まり３にそれぞれ流入させ、温海水と冷海水を対向させて基本モジュールの両端に導き、温海水と冷海水の流れ方向を対向させる。【００４０】
本実施例の構成によれば、一つの小部屋１の中で温海水は、伝熱管内の冷海水より温
度が高いため、温海水は液溜まりの液面からフラッシュ蒸発し、蒸発した蒸気は伝熱管２の表面で凝縮され、凝縮水は淡水受け皿に集められる。【００４１】
ところで、温海水と冷海水とを別々に導入する場合、流量ｑfとｑcが等しくなるとは限らない。図２に全段落を通じた温度変化を示すが、温海水の流量ｑｆが冷海水の流量ｑcより大きいと、点線のように温海水の温度は流入温度に保たれようとし、冷海水の温度は温海水の流入温度に近づく。結果として、冷海水の流入側で温海水と冷海水の温度差が拡大する。【００４２】
そこで、先の温度差の拡大を防ぐために、冷海水の流量は流量調整弁６によって、温海水流量に等しくなるように制御する。あるいは、基本モジュール５０の両端で、温海水と冷海水の温度差が保たれるように冷海水の流量を流量調整弁６によって制御する。このように制御することで、図２に実線で示したように、温海水と冷海水の温度差を小さく保つことができる。これにより、液溜まり３に供給された温海水は濃縮された冷海水および淡水に変わり、伝熱管２に供給された冷海水は、加熱されて温海水へ変わる。【００４３】
本実施例によれば、蒸気タービンの抽気蒸気等の外部熱源の代わりに、温海水と冷海水を導入することにより淡水を得ることができる。温海水は工場の廃熱および温泉等の熱源を利用して供給することが可能で有る。発電所の排熱で生成することもできる。このため加熱器用の外部からの加熱エネルギーを必要としない。さらに言えば、温海水流量に対して冷海水流量を適量とし、淡水化の効率を向上する。よって、本実施例によれば、蒸発法を用いた海水淡水化方法において、海水の加熱に要する熱量を低減することができる。
【実施例２】
【００４４】
次に、本発明の第２の実施例について説明する。図６は本実施例の海水淡水化装置１０２の主要部分を概略的に示した構成図である。本実施例は、基本モジュール５０を複数個用意して、海水の流れ方向に直列に繋げた例である。なお、先に説明した実施例と同等の構成要素には同一に符号を付し説明を省略する。【００４５】
以下、実施例の説明のため、図１で説明した基本モジュール５０において、海水タンク１１０と接続する、伝熱管２内を流れる海水の流れ方向上流側の伝熱管管路の末端を伝熱管入口端２ｉといい、温海水タンク２１０と接続する、伝熱管２内を流れる海水の流れ方向下流側の伝熱管の管路末端を伝熱管出口端２ｅと言う事にする。また、温海水タンク２００と接続する、液溜まり３の液溜まり内の海水の流れ方向上流側の海水流路末端を液溜まり入口端３ｉ，冷海水タンク１２０と接続する、液溜まり３の下流側の末端を液溜まり出口端３ｅと言う事にする。【００４６】
本実施例では、直列に繋いだ複数の基本モジュールのうち、第１番目の基本モジュール５０ａに設けられた伝熱管２ａの伝熱管出口端２ａｅを、第２番目の基本モジュール５０ｂの液溜まり３ｂの液溜まり入口端３ｂｉに配管を介して繋げた。一方、第１番目の基本モジュール５０ａの液溜まり３ａの液溜まり出口端３ａｅを第２番目の基本モジュール５０ｂに設けられた伝熱管２ｂの伝熱管入口端２ｂｉに配管を介して繋げた。【００４７】
また、第２番目の基本モジュール５０ｂに設けられた伝熱管２ｂの伝熱管出口端２ｂｅを、第３番目の基本モジュール５０ｃの液溜まり３ｃの液溜まり入口端３ｃｉに配管を介して繋げる。一方、第２番目の基本モジュール５０ｂの液溜まり３ｂの液溜まり出口端３ｂｅを第３番目の基本モジュール５０ｃの伝熱管２ｃの伝熱管入口端２ｃｉに配管を介して繋げる。【００４８】
さらに、第３番目の基本モジュール５０ｃの伝熱管２ｃの伝熱管出口端２ｃｅを、第４番目の基本モジュール５０ｄの液溜まり３ｄの液溜まり入口端３ｄｉに配管を介して繋げる。一方、第３番目の基本モジュール５０ｃの液溜まり３ｃの液溜まり出口端３ｃｅを第４番目の基本モジュール５０ｄの伝熱管２ｄの伝熱管入口端２ｄｉに配管を介して繋げる。【００４９】
そして、第４番目の基本モジュール５０ｄの伝熱管２ｄの伝熱管出口端２ｄｅを、温海水タンク２１０に繋げた。一方、第４番目の基本モジュール５０ｄの液溜まり３ｄの液溜まり出口端３ｄｅを冷海水タンク１２０に繋げた。【００５０】
本実施例の構成によれば、温海水タンク２００から導入された温海水は、液溜まり３ａを流下しながらフラッシュ蒸発を繰り返して温度低下し、濃縮された冷海水となって基本モジュール５０ａから流出し、次の基本モジュール５０ｂの伝熱管２ｂに冷海水として流入する。基本モジュール５０ｂの伝熱管２ｂに冷海水として流入した海水は、凝縮熱によって昇温し、温海水となって基本モジュール５０ｂから流出し、基本モジュール５０ｃの液溜まり３ｃに導入される。以下、基本モジュール５０ｃ，５０ｄにおいて、基本モジュール５０ａ，５０ｂの作業を繰り返す。【００５１】
一方、海水タンク１１０から導入された冷海水は、基本モジュール５０ａの伝熱管２ａ中で凝縮熱によって昇温し、温海水となって基本モジュール５０ａから流出する。温海水となった海水は、次の基本モジュール５０ｂに温海水として液溜まり３ｂに流入し、液溜まり３ｂを流下しつつ濃縮された冷海水となって基本モジュール５０ｂから流出し、冷海水として第３番基本モジュール５０ｃの伝熱管２ｃに導入される。以下、基本モジュール５０ｃ，５０ｄにおいて、基本モジュール５０ａ，５０ｂの作業を繰り返す。【００５２】
このように本実施例では、温海水と冷海水とが複数の基本モジュールを対向して流下しながら、交互に伝熱管と液溜まりを流下することで冷海水と温海水の温度がスイングするように変化する。本実施例では、各基本モジュールで得られた、冷たくなった淡水は、各基本モジュールに備えられた淡水タンク１３０に集められる。【００５３】
本実施例においても、実施例１と同様に、温海水と冷海水の温度差の拡大を防ぐために、基本モジュールａの伝熱管２に供給する冷海水の流量を流量調整弁６によって、温海水流量に等しくなるように制御する。あるいは、基本モジュール５０の両端で、温海水と冷海水の温度差が保たれるように冷海水の流量を流量調整弁６によって制御する。【００５４】
図７は温度スイングに伴う温度変化を示す模式図である。先に示した式（１）−（３）から求められる。点線は図６の構成をとった場合の温度変化を示す。各基本モジュールで得られた淡水を低温側で淡水タンク６に回収する。この結果、スイング回数が多くなる程、基本モジュールａの伝熱管２に供給した冷海水の流量ｑcが減少するため、温海水の温度は保たれる傾向にあるが冷海水の温度が大きく増加する。温海水と冷海水の温度差は急速に近づき、淡水化の進行も滞ることはデメリットであるが、温度スイングをさせる基本的な実施例である。
【実施例３】
【００５５】
次に本発明の第３の実施例について説明する。本実施例は、前述した第２の実施例の応用例である。図８は、本実施例の海水淡水化装置の主要部分を概略的に示した構成図である。なお、先に説明した実施例と同等の構成要素には同一に符号を付し説明を省略する。【００５６】
以下、実施例の説明のため、図１で説明した基本モジュール５０において、淡水タンク１３０と接続する、淡水受け皿４の淡水流れ方向下流側の末端を淡水出口端４ｅということにする。【００５７】
本実施例では、下流側の偶数番目の基本モジュール５０ｂ，５０ｄに第２の伝熱管８ｂ，８ｄをそれぞれ設けた。第２の伝熱管８ｂは、伝熱管２ｂと同様に、隣り合う小部屋１の第２の伝熱管とそれぞれと繋がっており一本の管路となっている。そして、上流側の奇数番目の基本モジュール５０ａ，５０ｃの淡水出口端４ａｅ，４ｃｅを、それぞれ下流側の偶数番目の基本モジュール５０ｂ，５０ｄに設けた第２の伝熱管８の伝熱管入口端８ｂｉ，８ｄｉに配管を介して繋げた。一方、第２の伝熱管８の、伝熱管内を流れる淡水流れ方向下流側の末端８ｂｅ，８ｄｅは、淡水タンク２２０に繋げた。【００５８】
本実施例の特徴点は、上流側の奇数番目の基本モジュール５０ａ，５０ｃで得られた低温の淡水を、下流の偶数番目の基本モジュール５０ｂ，５０ｄの第２伝熱管８ｂ，８ｄに通して、凝縮熱で加熱した後に淡水タンク２２０に回収することで、新たに温度を高めた淡水を得ることができる点にある。そして、本実施例によれば、温側と冷側の双方から淡水を回収するため温海水と冷海水の流量ｑf，ｑcが互いに等しく保たれ、その結果、図７に示したように冷海水温度の急増を抑制できる。よって、本実施例によれば、淡水化の進行の滞りを抑制することができる。
【実施例４】
【００５９】
次に本発明の第４の実施例について説明する。本実施例は、前述した第３の実施例の応用例である。図９は、本実施例の海水淡水化装置の主要部分を概略的に示した構成図である。なお、先に説明した実施例と同等の構成要素には同一に符号を付し説明を省略する。【００６０】
本実施例では、第３番目の基本モジュール５０ｃに、第２の伝熱管８ｃと、第３の伝熱管９ｃを追設した。第２の伝熱管８ｃ、および第３の伝熱管９ｃは、伝熱管２ｃと同様に、隣り合う小部屋１の第２，第３の伝熱管とそれぞれと繋がっており一本の管路となっている。そして、第２番目の基本モジュール５０ｂに設けられた第２の伝熱管８ｂの伝熱管出口端８ｂｅを、第３基本モジュール５０ｃの第３の伝熱管の伝熱管入口端９ｃｉに繋げている。また、第２番目の基本モジュール５０ｂの淡水受け皿４の淡水出口端４ｂｅを、第３基本モジュール５０ｃの第２の伝熱管の伝熱管入口端８ｃｉに繋げた。【００６１】
また、第４番目の基本モジュール５０ｄにも第３の伝熱管９ｄを設けており、その末端９ｄｉは、第３基本モジュール５０ｃの第２の伝熱管８ｃの伝熱管出口端８ｃｅと繋がっており、反対側の末端９ｄｅは、第４基本モジュール５０ｄの淡水受け皿出口端４ｄｅと淡水タンク１３０とを繋ぐ配管１０に連通している。【００６２】
一方、第３番目の基本モジュール５０ｃの第３の伝熱管９ｃの伝熱管出口端９ｃｅは、第３基本モジュール５０ｃの淡水出口端４ｃｅと第４基本モジュール５０ｄの第２の伝熱管８ｄの伝熱管入口端８ｄｉとを繋ぐ配管１１に連通している。【００６３】
本実施例では、第２番目の基本モジュール５０ｂの伝熱管２を流下した温淡水を、淡水タンク２２０に回収せず、下流側の３番目の基本モジュール５０ｃの液溜まり３内に通した第３の伝熱管９ｃに導く。第３の伝熱管９ｃを流下する温淡水から、液溜まり３内の温海水へ熱を伝達し、フラッシュ蒸発を加速させる。その後、温淡水は、基本モジュール５０ｃ内で回収された淡水と合流させ、下流の第４番目の基本モジュール５０ｄの第２の伝熱管８ｄに導入される。第４基本モジュール５０ｄの第２の伝熱管８ｄに導かれた淡水は、凝縮熱によって、昇温し、温淡水として淡水タンク２２０に回収される。【００６４】
一方、第２番目の基本モジュール５０ｂで回収された淡水は、淡水タンク１３０で回収せず、第３番目の基本モジュール５０ｃに設けられた第２の伝熱管２ｃに導き、凝縮熱で昇温させる。昇温した淡水は、第４番目の基本モジュール５０ｄの液溜まり３内に設けられた第３の伝熱管９ｄに導入され、第３の伝熱管９ｄを流下しつつ、液溜まり３内の温海水へ熱を伝達し、フラッシュ蒸発を加速させる。第３の伝熱管９ｃ内の淡水は、冷却され、冷淡水として第４基本モジュール５０ｄで回収した淡水と共に最終的に淡水タンク１３０に回収される。【００６５】
よって、本実施例では、最終の４番目の基本モジュール５０ｄから、温淡水と冷淡水および濃縮された温海水と濃縮された冷海水を得ることができる。
【実施例５】
【００６６】
以上説明した実施例では、温度スイングを増やせば淡水化が進行し、得られる淡水の量は増え、濃縮海水の塩分濃度が高まる。淡水を得るだけでなく濃縮海水からナトリウム，マグネシウム，ホウ素などの有価物を回収する場合、温度スイングの回数を著しく増やすことが求められる。一方で淡水化が進めば濃縮海水の流量は減少する。このような場合、海水淡水化装置を濃縮度に応じて時分割に使うことができれば、熱交換部を削減できる。図１０はそのためのシステム構成図である。３００はクラスター、２０，２２，２３，２５は流路切換弁である。クラスター３００は図６，図８，図９に示した海水淡水化装置１０２，１０３，１０４、あるいは基本モジュール５０（海水淡水化装置１０１）そのものとする。【００６７】
図１０において、濃縮された温海水を濃縮度に応じて貯留するための温海水タンク２００を複数個設ける。濃縮された冷海水を濃縮度に応じて貯留するための冷海水タンク１２０も同様に、複数個設ける。クラスター３００も複数個設け、流路切換弁２０，２２，２３，２５を切り換えながら濃縮度ごとに時分割に淡水化を進行させる。【００６８】
本実施例では、温海水を濃縮度別に分けて、温海水タンク２００に貯留する。一方、冷海水も同様に濃縮度別に分けて、冷海水タンク１２０に貯留する。【００６９】
各冷海水タンク１２０は、それぞれ冷海水供給系統１２に繋がっており、冷海水供給系統１２は、クラスター３００を構成する海水淡水化装置の第１基本モジュールに設けられた伝熱管入口端２ａｉに繋がっている。冷海水供給系統１２と各冷海水タンク１２０とはそれぞれ配管１３を介して繋がっており、各配管１３に切換弁２０が設けられている。切換弁２０の開閉操作によって、各冷海水タンク１２０のうち、どの冷海水タンクから冷海水を供給するかを制御する。【００７０】
各温海水タンク２００は、それぞれ温海水供給系統１４に繋がっており、温海水供給系統１４は、クラスター３００を構成する海水淡水化装置の第１基本モジュールに設けられた液溜まり入口端３ａｉに繋がっている。温海水供給系統１４と各温海水タンク２００とはそれぞれ配管１５を介して繋がっており、各配管１５に切換弁２３が設けられている。流路切換機構である切換弁２３の開閉操作によって、各温海水タンク２００のうち、どの温海水タンクから温海水を供給するかを制御する。【００７１】
２４は、冷海水回収系統で、その一端は、クラスター３００を構成する海水淡水化装置の第４基本モジュールに設けられた液溜まり出口端３ｄｅに繋がっており、他方の一端は分岐してそれぞれ、配管２７を介して各冷海水タンク１２０に繋がっている。また、各冷海水タンク１２０と冷海水回収系統２４とを繋ぐ配管２７には、それぞれ切換弁２５が設けられており、切換弁２５を開閉制御して冷海水を回収する冷海水タンクの切換制御を行う。【００７２】
２６は、温海水回収系統で、その一端は、クラスター３００を構成する海水淡水化装置の第４基本モジュールに設けられた伝熱管出口端２ｄｅに繋がっており、他方の一端は分岐してそれぞれ、温海水タンク２００に繋がっている。また、温海水タンク２００と温海水回収系統２６とを繋ぐ配管２１には、それぞれ切換弁２２が設けられており、流路切換機構を構成する切換弁２２を開閉制御して温海水を回収する温海水タンクの切換制御を行う。【００７３】
本実施例によれば、切換弁の開閉制御を行うことで、海水淡水化装置に供給する温海水と冷海水を、濃縮度に応じて切換可能である。例えば、ある特定の濃度の温海水と、冷海水を海水淡水化装置に供給したい場合は、供給したい濃度の冷海水が貯留されている冷海水タンク１２０の切換弁２０と、温海水が温海水が貯留されている温海水タンク２００の切換弁２３を開け、その他のタンクの切換弁を閉めれば良い。供給したい濃度の海水が貯留されているタンクから、それぞれ温海水供給系統１４，冷海水供給系統１２を介して、温海水と冷海水が海水淡水化装置に供給される。【００７４】
また、切換弁を開閉制御することで、海水淡水化装置から排出された温海水と冷海水も、濃縮度に分けて貯留可能である。例えば、海水淡水化装置から排出された温海水と冷海水の濃度を調べ、同じ濃度の温海水，冷海水が貯留されている冷海水タンク１２０，温海水タンク２００の切換弁２２，２５を開き、その他のタンクの切換弁を閉めることで、海水淡水化装置から冷海水回収系統，温海水回収系統を介してそれぞれ、同濃度の海水が貯留されているタンクに回収することができる。【００７５】
よって、本実施例によれば、海水淡水化装置を濃縮度に応じて時分割に使い回すことができ、ハードウェア量を低減できる。
【実施例６】
【００７６】
次に本発明の第６の実施例について説明する。本実施例は、前述した第５の実施例の応用例である。図１１において、３０はクーリングタワー、３１，３２は大気、３３は淡水スプレーである。また、クーリングタワー３０内と冷海水タンク１２０内とを循環する熱媒体循環系統３４を設けている。なお、先に説明した実施例と同等の構成要素には同一に符号を付し説明を省略する。【００７７】
本実施例では、クーリングタワー３０に、大気３１を導き、クラスター３００内での淡水化により得られた淡水の一部を淡水スプレー３３から大気に噴霧する。大気の顕熱と淡水の蒸発潜熱により、熱媒体が冷却化され、熱媒体循環系統３４を介して冷海水タンク１２０に循環し、熱媒体によって冷海水タンク１２０内の濃縮された冷海水が冷却される。【００７８】
本実施例の構成によれば、クラスター３００を構成する海水淡水化装置に供給する冷海水と温海水の温度差を大きくすることができ、淡水化の進行を加速できる。
【実施例７】
【００７９】
次に本発明の第７の実施例について説明する。本実施例は、本発明の海水淡水化方式を用いた複合発電プラントの構成例である。図１２に、本実施例の複合発電プラントの主要部分を概略的に示した構成図を示す。なお、先に説明した実施例と同等の構成要素には同一に符号を付し説明を省略する。【００８０】
図１２において、４０は蒸気タービン、４１は復水器、４２は海水加熱器、４３，４４は蒸発器、４５は凝縮器、４６は補助タービン、４００は主蒸気、４０１，４０２は復水である。蒸気タービン４０には高温高圧の主蒸気４００が流入し、低温低圧の蒸気が復水器４１に排気され、この蒸気の熱落差により仕事を得る。復水器４１での凝縮により低温低圧が維持されるが、凝縮液は復水４０１としてボイラーに送られ、ボイラーで再び主蒸気４００を得る。【００８１】
復水器４１には、蒸気の復水化に用いる冷却源として海水５００が用いられている。復水器４１で蒸気を冷却した海水は、蒸気と熱交換することにより温められ、温海水となる。復水器４１より排出された温海水のうちの一部を温海水４０３としてクラスター３００に導く。温海水４０３は、クラスター３００に導入される途中で、複数の海水加熱器４２で、加熱される。加熱には蒸気タービンの段落から抽気された蒸気を用い、各海水加熱器４２で凝縮した蒸気は復水４０２となり、ボイラーへ送られる。海水加熱器４２で加熱された温海水４０３は、クラスター３００を構成する海水淡水化装置の第１基本モジュールの液溜まり入口端３ａｉに送られる。一方、クラスター３００の海水淡水化装置の伝熱管入口端２ａｉには冷海水４０４も導入されている。【００８２】
クラスター３００には、実施例２乃至４で説明した海水淡水化装置１０２，１０３、または１０４が用いられる。クラスター３００から生成される濃縮された温海水４０５と温淡水４０６は、一端タンクに貯留された後、蒸発器４３，４４に送られ、補助タービンの作動媒体と熱交換する。蒸発器４３，４４で温海水４０５と温淡水４０６によって加熱された作動媒体は、蒸気となって、補助タービン４６に送られ、補助タービン４６を駆動し、図示しない発電機等によって出力を得る。補助タービン４６を駆動した作動媒体は、凝縮器４５に送られ、凝縮器４５で冷却されて凝縮する。なお、補助タービン４６の作動媒体は水蒸気に限らず、フロンやアンモニアなどでも良い。【００８３】
一方、蒸発器４３，４４で作動媒体と熱交換した温海水４０５と温淡水４０６は、その後淡水タンク１３０と冷海水タンク１２０に回収される。【００８４】
図１２において温海水４０３の加熱には複数の海水加熱器４２が用いられ、抽気蒸気は低温低圧の蒸気も用いられる。初めの海水加熱器４２の温度は復水器４１内の温度に近く、段階的に加熱される。蒸気タービン４０の下流段から抽気される蒸気は上流段で抽気される蒸気より多くの仕事をする。このため、蒸気タービン４０に対して温海水４０３は冷却源として作用する。【００８５】
図１３に従来の海水淡水化複合発電を示すが、加熱蒸気を上流段の一点から抽気するのに対し、図１２では下流段から抽気され多くの仕事をする。さらに、海水淡水化装置から得られた温海水４０５と温淡水４０６と新たな冷却源である凝縮器４５との温度差を利用し、補助タービン４６により仕事を得ることができる。
【実施例８】
【００８６】
図１４は凝縮器４５の冷却源に大気を用いる構成図であり、新たに３０はクーリングタワー、３１，３２は大気、３３は淡水スプレー、３４は熱媒体循環系統である。クーリングタワー３０に、大気３１を導き、海水淡水化により得られた淡水の一部を淡水スプレー３３から大気に噴霧する。大気の顕熱と淡水の蒸発潜熱により、熱媒体循環系統を循環する熱媒体を介して凝縮器４５の冷却媒体を冷却できる。
【産業上の利用可能性】
【００８７】
本発明は海水淡水化プラント，海水資源化プラント、および複合蒸気タービンプラントに利用できる。
【符号の説明】
【００８８】
１  小部屋
２  伝熱管
３  液溜まり
４  淡水受け皿
５  加熱器
６  流量調整弁
８  第２の伝熱管
９  第３の伝熱管
１２  冷海水供給系統
１４  温海水供給系統
２０，２３，２５  切換弁
２４  冷海水回収系統
２６  温海水回収系統
３０  クーリングタワー
３４  熱媒体循環系統
４０  蒸気タービン
４１  復水器
４２  海水加熱器
４３，４４  蒸発器
４５  凝縮器
４６  補助タービン
４８  加熱器
５０  基本モジュール
１００，１０１  海水淡水化装置
１１０  海水タンク
１２０  冷海水タンク
１３０  淡水タンク
２００，２１０  温海水タンク
３００  クラスター
４０３，４０５  温海水
４０４  冷海水
４０６  温淡水
４０７  淡水
５００  海水
【図１】
2012039009.tif 000009
【図２】
2012039009.tif 000010
【図３】
2012039009.tif 000011
【図４】
2012039009.tif 000012
【図５】
2012039009.tif 000013
【図６】
2012039009.tif 000014
【図７】
2012039009.tif 000015
【図８】
2012039009.tif 000016
【図９】
2012039009.tif 000017
【図１０】
2012039009.tif 000018
【図１１】
2012039009.tif 000019
【図１２】
2012039009.tif 000020
【図１３】
2012039009.tif 000021
【図１４】
2012039009.tif 000022
【国際調査報告】
2012039009.tif 000023
2012039009.tif 000024
2012039009.tif 000025
2012039009.tif 000026